(57)【要約】【課題】防水性を確保しつつ、標準仕様のキャビネットを、屋根付きや耳付きなどの特殊仕様に変更できる取付金具を得ること。【解決手段】標準キャビネット用取付孔２と同じピッチの取付孔４と、一方の面で取付孔４を囲むＯリング用溝９ａと、他方の面で取付孔４を囲むＯリング用溝１１と、が形成された取付部３ａを有する特殊仕様部材３０を備え、特殊仕様部材３０は、取付孔４が標準キャビネット用取付孔２に重なるように取付部３ａの他方の面が標準キャビネット１の背面に当接され、取付部３ａの一方の面側から取付孔４及び標準キャビネット用取付孔２に皿ネジ８が挿入されて共締めがなされ、Ｏリング用溝９ａには、共締めがなされた際に取付部３ａと皿ネジ８との間に介在するＯリング１０が配置され、Ｏリング用溝１１には、共締めがなされた際に取付部３ａと標準キャビネット１との間に介在するＯリング１２が配置される。【選択図】図４
2014103745.tif 000002
【特許請求の範囲】
【請求項１】
壁掛け状態で設置するための標準キャビネット用取付孔が背面の四隅近傍に形成された前開き箱状の標準キャビネットに締結部材による共締めで取り付けられて、前記標準キャビネットに特殊仕様の機能を付与する取付金具であって、
前記標準キャビネット用取付孔と同じピッチの一対の取付孔と、一方の面で前記一対の取付孔の各々を囲む第１の防水部材設置溝と、他方の面で前記一対の取付孔の各々を囲む第２の防水部材設置溝と、が形成された取付部を有する特殊仕様部材を備え、
前記特殊仕様部材は、前記一対の取付孔の各々が前記標準キャビネット用取付孔に重なるように前記取付部の前記他方の面が前記標準キャビネットの背面に当接され、前記取付部の前記一方の面側から前記取付孔及び前記標準キャビネット用取付孔に前記締結部材が挿入されて前記共締めがなされ、
前記第１の防水部材設置溝には、前記共締めがなされた際に前記取付部と前記締結部材との間に介在する第１のリング状防水部材が配置され、前記第２の防水部材設置溝には、前記共締めがなされた際に前記取付部と前記標準キャビネットとの間に介在する第２のリング状防水部材が配置されることを特徴とする取付金具。
【請求項２】
前記特殊仕様部材は、前記標準キャビネットに前記特殊仕様の機能を付与する特殊仕様形状部として、前記標準キャビネットを被設置箇所に設置するための設置用取付孔が形成され、前記共締めがなされた際に前記標準キャビネットから張り出す張出部を有することを特徴とする請求項１に記載の取付金具。
【請求項３】
前記特殊仕様部材は、前記標準キャビネットに前記特殊仕様の機能を付与する特殊仕様形状部として、前記取付部の前方に延在して前記標準キャビネットの上面を覆う上面部、及び該上面部の両側端から下方に延在する側面部を含む頭部を有することを特徴とする請求項１に記載の取付金具。
【請求項４】
前記取付部に、前記標準キャビネットを被設置箇所に設置するための設置用取付孔が形成されていることを特徴とする請求項３に記載の取付金具。
【請求項５】
前記特殊仕様部材は、前記標準キャビネットに前記特殊仕様の機能を付与する特殊仕様形状部として、
前記標準キャビネットを被設置箇所に設置するための設置用取付孔が形成され、前記共締めがなされた際に前記標準キャビネットから張り出す張出部と、
前記取付部の前方に延在して前記標準キャビネットの上面を覆う上面部、及び該上面部の両側端から下方に延在する側面部を含む頭部と、
を有することを特徴とする請求項１に記載の取付金具。
【発明の詳細な説明】
【技術分野】
【０００１】
本発明は、取付金具に関する。
【背景技術】
【０００２】
太陽光発電システムの接続箱やトランスデューサ箱、集電箱などの盤用キャビネットには、屋根付きや耳付き（設置用突出部付き）の機種もある。従来、これらの機種では、屋根や耳はキャビネット本体に溶接で接合されているため、屋根や耳をキャビネット本体に接合した後で仕様が変更になった場合には、キャビネット全体を作り直す必要がある。
【０００３】
特許文献１には、取り付け金具をボルトでキャビネットの本体に取り付ける構造が開示されている。
【先行技術文献】
【特許文献】
【０００４】
【特許文献１】特開２００５−３４０３２０号公報
【発明の概要】
【発明が解決しようとする課題】
【０００５】
しかしながら、屋根や耳などの特殊仕様の機能を実現するための部品をネジ締め等によって締結した場合は、ネジの隙間等から水分がキャビネット本体内に侵入するなど、防水性が低下する懸念がある。
【０００６】
本発明は、上記に鑑みてなされたものであって、防水性を確保しつつ、標準仕様のキャビネットを、屋根付きや耳付きなどの特殊仕様に変更できる取付金具を得ることを目的とする。
【課題を解決するための手段】
【０００７】
上述した課題を解決し、目的を達成するために、本発明は、壁掛け状態で設置するための標準キャビネット用取付孔が背面の四隅近傍に形成された前開き箱状の標準キャビネットに締結部材による共締めで取り付けられて、標準キャビネットに特殊仕様の機能を付与する取付金具であって、標準キャビネット用取付孔と同じピッチの一対の取付孔と、一方の面で一対の取付孔の各々を囲む第１の防水部材設置溝と、他方の面で一対の取付孔の各々を囲む第２の防水部材設置溝と、が形成された取付部を有する特殊仕様部材を備え、特殊仕様部材は、一対の取付孔の各々が標準キャビネット用取付孔に重なるように取付部の他方の面が標準キャビネットの背面に当接され、取付部の一方の面側から取付孔及び標準キャビネット用取付孔に締結部材が挿入されて共締めがなされ、第１の防水部材設置溝には、共締めがなされた際に取付部と締結部材との間に介在する第１のリング状防水部材が配置され、第２の防水部材設置溝には、共締めがなされた際に取付部と標準キャビネットとの間に介在する第２のリング状防水部材が配置されることを特徴とする。
【発明の効果】
【０００８】
本発明によれば、防水性を確保しつつ、標準仕様のキャビネットを屋根付きや耳付きなどの特殊仕様に変更でき、かつ、容易に標準仕様に復元することができるという効果を奏する。
【図面の簡単な説明】
【０００９】
【図１】図１は、本発明にかかる取付金具の実施の形態１としてのオプション部品の外観を示す図である。
【図２】図２は、オプション部品が装着される標準キャビネットの外観を示す図である。
【図３】図３は、オプション部品を取り付けたキャビネットの外観を示す図である。
【図４】図４は、オプション部品と標準キャビネットとの取り付け部分の断面図である。
【図５】図５は、オプション部品と標準キャビネットとの取り付け部分の別の構造例を示す断面図である。
【図６】図６は、本発明にかかる取付金具の実施の形態２としてのオプション部品の構成を示す図である。
【図７】図７は、実施の形態２にかかるオプション部品を取り付けた標準キャビネットの構成を示す図である。
【図８】図８は、オプション部品の別の構造例を示す断面図である。
【図９】図９は、本発明にかかる取付金具の実施の形態３としてのオプション部品の構成を示す図である。
【図１０】図１０は、実施の形態３にかかるオプション部品を取り付けた標準キャビネットの構成を示す図である。
【発明を実施するための形態】
【００１０】
以下に、本発明にかかる取付金具の実施の形態を図面に基づいて詳細に説明する。なお、この実施の形態によりこの発明が限定されるものではない。
【００１１】
実施の形態１．
図１は、本発明にかかる取付金具の実施の形態１としてのオプション部品の外観を示す図である。図２は、オプション部品が装着される標準キャビネットの外観を示す図であり、図２（ａ）は正面図、図２（ｂ）は側面図である。図３は、オプション部品を取り付けたキャビネットの外観を示す図であり、図３（ａ）は上面図、図３（ｂ）は正面図、図３（ｃ）は側面図である。標準キャビネット１は、概略直方体の箱形状であり、背面１ａの四隅近傍には標準キャビネット用取付孔２が設けられている。オプション部品３は、標準キャビネット１の横幅よりも長い平棒状であり、取付孔４及び設置用取付孔５が各々一対形成された特殊仕様部材３０を備えている。取付孔４同士の間隔（ピッチ）は、標準キャビネット用取付孔２同士の横方向の間隔ａと等しくなっており、標準キャビネット用取付孔２を利用してオプション部品３を横長の向きで標準キャビネット１の背面に取り付けることができるようになっている。特殊仕様部材３０は、後述の締結部材で標準キャビネット１と共締めして標準キャビネット１の背面に取り付けた際に、標準キャビネット１と重なる部分が取付部３ａをなし、標準キャビネット１から張り出す張出部３ｂが「耳付き」の特殊仕様の機能を標準キャビネット１に付与する特殊仕様形状部をなす。
【００１２】
なお、取付孔４同士の間隔を、標準キャビネット用取付孔２同士の縦方向の間隔ｂと同じにすれば、標準キャビネット用取付孔２を利用してオプション部品３を縦長の向きで標準キャビネット１の背面に取り付けることができる。なお、標準キャビネット用取付孔２の横方向の間隔と縦方向の間隔とが同じである場合（ａ＝ｂの場合）は、オプション部品３は縦横どちら向きでも取付可能である。
【００１３】
ここでは取付孔４を一対備える構成のオプション部品３を例としているが、標準キャビネット用取付孔２同士の間隔が縦横で異なる場合には、それぞれの間隔に合わせてオプション部品３に取付孔４を二対（間隔ａで一対、間隔ｂで一対の計二対）設ければ、オプション部品３を縦横どちら向きでも標準キャビネット１に取り付けることが可能となる。
【００１４】
設置用取付孔５は、標準キャビネット用取付孔２と取付孔４との位置を合わせてオプション部品３を標準キャビネット１に取り付けた後に、標準キャビネット１の横方向に張り出す張出部３ｂの部分に形成されている。このため、オプション部品３が取り付けられた標準キャビネット１は、設置用取付孔５を利用して壁や架台などの被設置箇所に設置することができる。
【００１５】
図４は、オプション部品と標準キャビネットとの取り付け部分（図２のＡ部）の断面図である。取付部３ａには、共締めがなされた際に標準キャビネット１と当接する側の面で取付孔４を囲むように第２の防水部材設置溝としてのＯリング用溝１１が形成されている。また、取付部３ａには、共締めがなされた際に標準キャビネット１と反対側となる面で取付孔４を囲むように第１の防水部材設置溝としてのＯリング用溝９ａ及び座繰り９ｂが形成されている。座繰り９ｂは、締結部材としての皿ネジ８のネジ頭８ａの高さ寸法よりも深く形成されている。皿ネジ８は、座繰り９ｂが形成された側から取付孔４及び標準キャビネット用取付孔２に挿入され、標準キャビネット１の内側からあてがわれる座金１３、ばね座金１４及びナット１５にて締結される。特殊仕様部材３０は、取付孔４が標準キャビネット用取付孔２に重なるようにして、取付部３ａのＯリング用溝１１が形成された面が標準キャビネット１の背面にあてがわれており、取付部３ａのＯリング用溝９ａが形成された面側から取付孔４及び標準キャビネット用取付孔２に皿ネジ８が挿入されて共締めがなされている。Ｏリング用溝９ａに配置された第１のリング状防水部材としてのＯリング１０は、共締めがなされた状態では取付部３ａと皿ネジ８との間に挟持されて介在している。また、Ｏリング用溝１１に配置された第２のリング状防水部材としてのＯリング１２は、共締めがなされた状態では取付部３ａと標準キャビネット１との間に挟持されて介在している。
【００１６】
座繰り９ｂが形成されていることにより、皿ネジ８を締結した際にネジ頭８ａは取付部３ａに埋まり、取付部３ａから突出しない。これにより、締結用のネジである皿ネジ８が壁面等に接触して標準キャビネット１の設置の妨げになることは防止される。
【００１７】
皿ネジ８の座面８ｂとの接触部に形成したＯリング用溝９ａにＯリング１０を係合させることにより、取付部３ａと皿ネジ８との隙間から取付孔４を介して標準キャビネット１内に水が侵入することは防止されている。また、取付部３ａの標準キャビネット１側に加工したＯリング用溝１１にＯリング１２を係合させることで、取付部３ａと標準キャビネット１との隙間から取付孔４を介して標準キャビネット１内に水が侵入することは防止されている。これにより、オプション部品３を取り付けた標準キャビネット１は、防水性を要求される設置環境においても適用可能な構造となっている。なお、リング状防水部材はＯリングに限定されることはなく、シート状のガスケットなどであっても良い。
【００１８】
図５は、オプション部品と標準キャビネットとの取り付け部分（図２のＡ部）の別の構造例を示す断面図である。取付部３ａには、標準キャビネット１と対向する側の面で取付孔４を囲むように第２の防水部材設置溝としてＯリング用溝１１が形成されている。また、取付部３ａには、標準キャビネット１と反対側の面で取付孔４を囲むように第１の防水部材設置溝としてＯリング用溝２３が形成されている。ボルト１６は、Ｏリング用溝２３が形成された側から取付孔４及び標準キャビネット用取付孔２に挿入され、標準キャビネット１の内側からあてがわれる座金１３、ばね座金１４及びナット１５にて締結される。特殊仕様部材３０は、取付孔４が標準キャビネット用取付孔２に重なるようにして、取付部３ａのＯリング用溝１１が形成された面が標準キャビネット１の背面にあてがわれており、取付部３ａのＯリング用溝２３が形成された面側から取付孔４及び標準キャビネット用取付孔２にボルト１６が挿入されて共締めがなされている。Ｏリング用溝２３に配置された第１のリング状防水部材としてのＯリング２４は、共締めがなされた状態では取付面３ａとボルト１６との間に挟持されて介在している。また、Ｏリング用溝１１に配置された第２のリング状防水部材としてのＯリング１２は、共締めがなされた状態では取付部３ａと標準キャビネット１との間に挟持されて介在している。
【００１９】
ボルト１６の座面１６ｂとの接触部に形成したＯリング用溝２３にＯリング２４を係合させることにより、取付部３ａとボルト１６との隙間から取付孔４を介して標準キャビネット１内に水が侵入することは防止されている。また、オプション部品３の標準キャビネット１側に加工したＯリング用溝１１にＯリング１２を係合させることで、取付部３ａと標準キャビネット１との隙間から取付孔４を介して標準キャビネット１内に水が侵入することは防止されている。これにより、オプション部品３を取り付けた標準キャビネット１は、防水性を要求される設置環境においても適用可能な構造となっている。
【００２０】
図５に示す構造では、ボルト１６のネジ頭１６ａは、ボルト１６を締結しても取付部３ａには埋まらず、取付部３ａから突出したままである。標準キャビネット１を太陽電池パネル用架台の支柱や柵等に設置する場合などで、オプション部品３を面に密着して設置する必要がなければ、図５に示すように、取付孔４は座繰りを省略した構造とすることも可能である。
【００２１】
実施の形態１によれば、標準キャビネットにオプション部品を取り付けることで、標準キャビネットを耳付きの特殊仕様品に変更することができる。また、標準キャビネット内への水の侵入を防止できる構造であるため、防水性を要求される設置環境においても適用可能である。
【００２２】
実施の形態２．
図６は、本発明にかかる取付金具の実施の形態２としてのオプション部品の構成を示す図である。図７は、実施の形態２にかかるオプション部品を取り付けた標準キャビネットの構成を示す図であり、図７（ａ）は正面図、図７（ｂ）は側面図である。特殊仕様部材３１を有するオプション部品１７は、上面２５ａ及び上面２５の両側端から下方に延在する側面２５ｂからなる庇状の頭部２５と取付部２６とを有する側面視概略Ｌ字状である。取付部２６には、標準キャビネット１の標準キャビネット用取付孔２同士の横方向の間隔と同じ間隔で取付孔２７が形成されている。取付孔２７の形状は、図４や図５に示した実施の形態１の取付孔４と同様であり、取付部２６の表裏の面に取付孔２７を囲むようにＯリング用溝が設けられている。頭部２５は、「屋根付き」の特殊仕様の機能を標準キャビネット１に付与する特殊仕様形状部をなす。
【００２３】
標準キャビネット１の背面とオプション部品１７の取付部２６とは、接着剤や磁石などにて仮固定される。なお、接着剤を用いる場合は、オプション部品１７を容易に標準キャビネット１から剥がせる程度の接着力を持つものを用いる。仮固定は、取付孔２７と標準キャビネット用取付孔２との位置を合わせた状態で行われる。オプション部品１７が仮固定された標準キャビネット１は、取付孔２７と標準キャビネット用取付孔２との位置が合わされた状態のまま、標準キャビネット１を単独で設置する場合と同様に壁面や架台にボルトなどで本固定される。
【００２４】
図８は、オプション部品の別の構造例を示す断面図である。特殊仕様部材３１を有するオプション部品１７は、頭部２５の側面２５ｂの後端に切り欠き２１が形成されており、取付部２６と側面２５ｂとの間に隙間が開いている。また、標準キャビネット用取付孔２に対応する取付孔１９とは別に、頭部２５の後方に設置用取付孔２０が形成されている。取付孔１９の形状は、図４や図５に示した実施の形態１の取付孔４と同様であり、取付部２６の表裏の面に取付孔１９を囲むようにＯリング用溝が設けられている。実施の形態１と同様に、取付孔１９と標準キャビネット用取付孔２との位置を合わせた上で皿ネジやボルトなどにより締結することで、オプション部品１７が標準キャビネット１に取り付けられる。オプション部品１７が取り付けられた標準キャビネット１は、取付孔１９と標準キャビネット用取付孔２との位置が合わされた状態で、標準キャビネット１を単独で設置する場合と同様に壁面や架台に固定する。切り欠き２１の部分から取付用工具を頭部２５内に入れることができるため、オプション部品１７を取り付けた標準キャビネット１を設置用取付孔２０を利用して壁面等へ設置する作業の作業性が向上する。
【００２５】
実施の形態２によれば、標準キャビネットにオプション部品を取り付けることで、屋根付きの特殊仕様品に変更することができる。また、標準キャビネット内への水の侵入を防止できる構造であるため、防水性を要求される設置環境においても適用可能である。
【００２６】
実施の形態３．
図９は、本発明にかかる取付金具の実施の形態３としてのオプション部品の構成を示す図である。図１０は、実施の形態３にかかるオプション部品を取り付けた標準キャビネットの構成を示す図であり、図１０（ａ）は正面図、図１０（ｂ）は側面図である。特殊仕様部材３２を有するオプション部品２２は、上面２５ａ及び上面２５ａの両側端から下方に延在する側面２５ｂからなる庇状の頭部２５と取付部３０ａとを有する側面視概略Ｌ字状である。また、取付部３０ａの下部は、標準キャビネット１の横幅よりも長く、標準キャビネット１の背面に取り付けた際に、標準キャビネット１から張り出す部分は張出部３０ｂとなっている。一対の取付孔２８は取付部３０ａに形成されており、一対の設置用取付孔２９は、張出部３０ｂに形成されている。張出部３０ｂは、標準キャビネット用取付孔２及び取付孔２８の位置を合わせてオプション部品２２を標準キャビネット１に取り付けた後に、標準キャビネット１の横方向に張り出すため、オプション部品２２が取り付けられた標準キャビネット１は、設置用取付孔２９を利用して壁や架台などに設置することができる。本実施の形態では、張出部３０ｂ及び頭部２５が「耳付き」及び「屋根付き」の特殊仕様の機能を標準キャビネット１に付与する特殊仕様形状部をなす。
【００２７】
取付孔２８の形状は、図４や図５に示した実施の形態１の取付孔４と同様であり、取付部３０ａの表裏の面に取付孔２８を囲むようにＯリング用溝が設けられている。
【００２８】
オプション部品２２は、１部品で屋根及び耳の機能を兼ね備える。標準キャビネット１の下側の二つの取付孔２には、設置用取付孔５を有する実施の形態１のオプション部品３を取り付けることで、標準キャビネット１を屋根及び耳付きの特殊仕様品に仕様変更することが可能となる。
【００２９】
実施の形態３によれば、標準キャビネットにオプション部品を取り付けることで、屋根及び耳付きの特殊仕様品に変更することができる。また、標準キャビネット内への水の侵入を防止できる構造であるため、防水性を要求される設置環境においても適用可能である。
【００３０】
上記の各実施の形態によれば、継続生産品である標準キャビネットとオプション部品との組み合わせで屋根付きや耳付きといった特殊要求を満足できるため、リードタイムの短縮が可能となる。さらに、出荷後に現地にて屋根付きや耳付きへの改造、標準品への復元が可能となる。これにより、途中で仕様の変更があった場合でも、キャビネット全体を作り直す必要はなく、生産工程における環境負荷が低減される。また、製品の分解が容易であり、オプション部品を取り外した後は通常の標準キャビネットとして扱うことが可能であるため、運搬が容易であり、包装資材の使用量を削減できる。
【００３１】
上記の各実施の形態では、特殊仕様として耳付き、屋根付きを例としたが、これら以外の特殊仕様の機能を実現する取付金具についても同様の実施が可能である。例えば、片側のみに耳を有する仕様などにも適用可能である。
【産業上の利用可能性】
【００３２】
以上のように、本発明にかかる取付金具は、標準キャビネットに取り外しするだけで特殊仕様品に変更したり標準仕様品へ戻したりできる点で有用であり、特に、防水性を要求される環境への適用に適している。
【符号の説明】
【００３３】
１  標準キャビネット、２  標準キャビネット用取付孔、３，１７，２２  オプション部品、３ａ，２６，３０ａ  取付部、３ｂ，３０ｂ  張出部、４，１９，２７，２８  取付孔、５，２０，２９  設置用取付孔、８  皿ネジ、９ａ，１１，２３  Ｏリング用溝、１０，１２，２４  Ｏリング、１３  座金、１４  ばね座金、１５  ナット、１６  ボルト、２１  切り欠き、２５  頭部、２５ａ  上面、２５ｂ  側面、３０，３１，３２  特殊仕様部材。
【図１】
2014103745.tif 000003
【図２】
2014103745.tif 000004
【図３】
2014103745.tif 000005
【図４】
2014103745.tif 000006
【図５】
2014103745.tif 000007
【図６】
2014103745.tif 000008
【図７】
2014103745.tif 000009
【図８】
2014103745.tif 000010
【図９】
2014103745.tif 000011
【図１０】
2014103745.tif 000012